(57)【要約】  本発明は、蚊の管理に関する。本発明は、誘引薬としてではなく防虫剤として作用し（すなわち、負の走光性の反応を引き出す）、および／または、蚊が血を探す活動を抑制する、ＬＥＤ光を利用する。方法は、人間もしくは動物が存在する場所もしくは近傍（１０；２２）から蚊を忌避し、および／または、蚊が血餌を探さないように抑制する。方法は、走光性忌避反応を生成し、および／または、蚊が血を探す活動を抑制するロケーション（１２；１６）および向きにＬＥＤ照明（１８）を位置決めするステップを含み、この結果、照明（１８）が保護する、規定されているゾーン（２２）に蚊が入るのが止められる。ＬＥＤ照明は、色温度が５０００Ｋよりも大きい、少なくとも１００ルクスの強い光を生成し、約４５０ｎｍ〜４７０ｎｍにおける第１のピークと、約５００ｎｍ〜７００ｎｍにおける第２のピークとの、２つのピークを有するクールホワイトスペクトル（図２、左手側）を有する。【選択図】図６Ａ
2020527961.tif 000002
【特許請求の範囲】
【請求項１】
人間もしくは動物が存在する場所もしくは近傍（１０；２２）から蚊を忌避し、および／または、前記蚊が血餌を探すのを抑制するための方法であって、
走光性忌避反応を生成するような、および／または、前記蚊が血を探すのを抑制するようなロケーション（１２；１６）および向きに、照明（１８）を位置決めするステップを含み、このステップによって、前記照明（１８）が保護する、規定されたゾーン（２２）に前記蚊が入るのが止められ、および／または、ゾーン（１０；２２）内で前記蚊が血餌を探す傾向が低減し、
前記照明（１８）はＬＥＤ照明であり、色温度が５０００Ｋよりも大きい、少なくとも１００ルクスの強い光を生成し、約４５０ｎｍ〜４７０ｎｍにおける第１のピークと、約５００ｎｍ〜７００ｎｍにおける第２のピークとの、２つのピークを有するクールホワイトスペクトルを有する、方法。
【請求項２】
標的化される前記蚊はヤブカ種である、請求項１に記載の方法。
【請求項３】
標的化される前記蚊はネッタイシマカまたはヒトスジシマカである、請求項２に記載の方法。
【請求項４】
前記強い光は少なくとも２００ルクスを生成する、請求項１から３のいずれか一項に記載の方法。
【請求項５】
前記強い光は２７０〜３１０ルクスを生成する、請求項４に記載の方法。
【請求項６】
前記強い光は約２９０ルクスを生成する、請求項５に記載の方法。
【請求項７】
前記照明（１８）は、５０００Ｋ〜１００００Ｋの範囲内の色温度を有する光を放出する、請求項１から６のいずれか１項に記載の方法。
【請求項８】
実質的にドアまたは窓の開口部にわたって光を伝達するように、ＬＥＤ光ストリップを取り付けるステップを含む、請求項１から７のいずれか１項に記載の方法。
【請求項９】
実質的にテントまたは天幕の開口部にわたって光を伝達するように、ＬＥＤ光ストリップを取り付けるステップを含む、請求項１から７のいずれか１項に記載の方法。
【請求項１０】
実質的に屋外の着座領域の周りにＬＥＤ光ストリップを取り付けるステップを含む、請求項１から７のいずれか１項に記載の方法。
【請求項１１】
テーブルの裏側および／または周縁にＬＥＤ光ストリップを取り付けるステップを含む、請求項１から７のいずれか１項に記載の方法。
【請求項１２】
１つまたは複数の携帯式ＬＥＤ含有ランタンを使用するステップを含む、請求項１から７のいずれか１項に記載の方法。
【請求項１３】
前記携帯式ＬＥＤ含有ランタンは、一方向、二方向または多方向に光を方向付ける、請求項１２に記載の方法。
【請求項１４】
疾患予防の方法である、請求項１から１３のいずれか１項に記載の方法。
【請求項１５】
前記疾患予防の方法は、生物媒介疾患を制御する、請求項１４に記載の方法。
【請求項１６】
請求項１から１５のいずれか１項に記載の方法において使用するためのＬＥＤもしくはＬＥＤアレイまたはＣＯＢ。
【発明の詳細な説明】
【技術分野】
【０００１】
[0001]本発明は、蚊の管理に関し、より詳細には、誘引薬としてではなく、忌避剤としての（すなわち、負の走光性の反応を引き出すための）、および／または、血を探す活動を抑制するための、光の使用に関する。
【０００２】
[0002]好ましくは、光は強い光である。
【０００３】
[0003]光強度と同等と考えることができる輝度Ｂが、ルクス（ルーメン／ｍ２）単位で測定される。
【０００４】
[0004]「強い」とは、生成される光が少なくとも５ルクス、より好ましくは少なくとも１００ルクス、より好ましくはさらに、少なくとも２００ルクス（これは、１ｍの距離をおいて測定されるルクスである）の輝度を有することを意味する。より好ましくは、光は、２７０ルクス〜３１０ルクス、最適には約２９０ルクスの輝度を有する。３１０ルクス超では、追加の負の走光性の反応は観察されない。
【０００５】
[0005]好ましくは、光は、５０００Ｋよりも大きい色温度を有し、最も好ましくは、５０００Ｋ〜１００００Ｋの範囲内である。
【０００６】
[0006]好ましくは、光は、「クールホワイト（ｃｏｏｌ  ｗｈｉｔｅ）」スペクトル、すなわち、約４５０ｎｍ〜４７０ｎｍにおける第１のピーク（振幅がより大きいピーク）および約５００ｎｍ〜７００ｎｍにおける第２のピーク（第１のピークよりも振幅が小さく、波長幅が広いピーク）の、２つのピークを呈するスペクトルを有する。
【０００７】
[0007]好ましくは、必須ではないが、光源は、発光ダイオード（以下ＬＥＤと称する）である。ＬＥＤは、単一のＬＥＤであってもよく、または、ＬＥＤのアレイ、特に、用途に応じて数十センチメートル〜数メートルに及ぶ長さにおいて直線的に離間されたＬＥＤを有するストリップを含んでもよい。他の実施形態において、光源は、照明が、狭い発散（９０°未満）、中間の発散（９０°〜１８０°）、または広い発散（１８０°〜３６０°）を伴って方向付けられることを可能にする、他の形態をとってもよい。照明はまた、用途に応じて、例えば、上下または側方からの指向性であるように位置付けられてもよい。
【０００８】
[0008]好ましくは、照明は、その目的のために最適な方向に光を方向付けるように位置付けられ、これにより、例えば、ドアおよび窓のような開口部を通じて建造物に、開口部を通じてテントに、または、中庭もしくは屋外食事領域のような人間が座る環境に蚊が入ることを防止することができる。そのような状況においては、その領域を部分的にまたは実質的に取り囲み、人が座っている領域に光が投影されるように照明を向けることが望ましい場合がある。ここでも、光は、上方、下方および／または１つもしくは複数の側方から投影され得る。
【０００９】
[0009]人間もしくは動物の宿主から蚊を忌避すること、および／または、血を探す活動を抑制することによって、蚊の宿主への咬合の発生を低減し、結果として、蚊が媒介する疾患の伝染を低減することが可能である。
【背景技術】
【００１０】
[0010]蚊が媒介する疾患は、世界中で毎年多数の人間を死に至らしめており、すべての世界大戦を合わせたよりも多くの人間を死亡させてきた。２７００種を超える蚊が世界的に知られており、世界中の多くの熱帯および亜熱帯のニッチを占めるように順応および進化してきた。地球温暖化の始まりに伴って、蚊は順応および侵略するための新たなニッチを発見しているため、この地球規模の分布は毎日増大している。蚊は疾患の媒介生物であり、これは、蚊が、自身は疾患に影響されることなくある動物から別の動物へと疾患を運ぶことを意味する。蚊におけるこの媒介生物による疾患の伝染は通常、雌の蚊によって伝染される。これは、雌の蚊が、血餌を吸い出すために動物の表皮を穿刺するのに必要な口部を有するためである。この血餌から、雌の蚊は、産卵および繁殖のために必須アミノ酸を抽出する。
【００１１】
[0011]２種の最も悪名高い蚊が、ネッタイシマカ（Ａｅｄｅｓ  ａｅｇｙｐｔｉ）およびヒトスジシマカ（Ａｅｄｅｓ  ａｌｂｏｐｉｃｔｕｓ）である。それぞれアフリカおよびアジアを原産とし、それらの蚊の分布は、世界中での人々および物品の移動に起因して大きく増大されている。多くの熱帯の国々において、これら２種の蚊は、同じ環境的ニッチを共有しており、それによって、疾患の伝染は２倍になっている。
【００１２】
[0012]それらの蚊は両方とも、デング熱およびデング出血熱の知られた媒介生物であり、毎年１００を超える国々において９０００万を超えるデング熱の感染が臨床的に報告されるに至っている。これら毎年９０００万の事例のうち、５００，０００を超える例が、デング出血熱として知られるより毒性の高い形態のデング熱を発現しており、デング熱単独のみよりも人が死亡する可能性が高くなっている。デング熱は毎年２５，０００を超える死者を出している。
【００１３】
[0013]一方、現代の研究および診断によって、これらの蚊によって伝染される、新たに発生している疾患が特定されている。これらの疾患は、チクングンヤ熱、マヤロ熱、ウスツおよびジカ熱を含む。２０１５〜２０１７年において、ジカ熱は、７０の異なる国々において報告されており、アメリカだけで１００万例を超えている。
【００１４】
[0014]雌のヤブカに好まれる、血餌を探す時間は夜明けおよび夕暮れ時であるが、条件が好都合である場合（温度／湿度に応じて）、咬合は一日中、発生する可能性がある。蚊は、これらのウイルスを保持している人間または動物を咬合したおよそ７日後に感染性になる。これは外部潜伏期であり、この時間の間、ウイルスは蚊の中で複製し、唾液腺に達する。自然におけるヤブカの平均寿命は２週間である。雌の蚊は、その生涯で約３回産卵し、その都度約１００個の卵が産み落とされる。この蚊が感染性である場合、蚊はまた、ウイルスを卵に移し、これは経卵伝染として知られており、多くの大流行の始まりの一般的な先駆けである。卵は、乾燥条件において最大約９ヶ月にわたって休眠状態であり得、その後、好都合な条件、すなわち水および食糧に晒された場合に孵化し得る。
【００１５】
[0015]これらの蚊を防除するために最も一般的に使用される方法は、成虫駆除および幼虫駆除によるものである。成虫駆除とは、空中散布または噴霧を通じて殺虫剤を投与することであり、これは適度に有効であるが、授粉媒介者（ミツバチおよび蝶）のような有益な昆虫にも影響を及ぼし、または、食物連鎖全体を通じて動物にとって不可欠な食料源である他の昆虫にも影響を及ぼす。幼虫駆除は、幼虫として孵化する卵を蚊が産み落とす水塊中に殺虫剤を導入することであり、これは適度に有効であるが、他の動物にとっての水源を汚染し、水中の生物に影響を及ぼし、水中食物連鎖に影響を与える。しかしながら、近年開発されている幼虫駆除剤および殺虫剤は、標的化されていない昆虫にほとんどまたはまったく影響を及ぼすことなく、標的化された種を排除するのにはるかに優れた特異性を達成している。これらの方法は、不都合なことに大きな労働力を要し、そのコストは、蚊の防除が最も必要とされる大規模な計画においては容認不可能である。しかしながら、防除戦略を改善するための新規の方法が常に試行されており、これらは、遺伝子操作された蚊を使用すること、ならびに、蚊を誘引し、捕らえるために電動二酸化炭素ファンを使用することを含む。
【００１６】
[0016]したがって、蚊が宿主を咬合することを防止し、結果、疾患の伝染を防止するための代替的な手段が必要である。
【００１７】
[0017]特に中国の刊行物において、昆虫誘引を低減するように照明が改良され得るという、いくつかの示唆が為されている。
【００１８】
[0018]例えば、ＷＯ２０１７／０８５６８２は、誘引薬として作用する波長をフィルタリング除去することを教示しており、例えば、半翅目に関する、６５００ＫのＬＥＤおよび２７００ＫのＬＥＤ内の５１０〜５３０ｎｍの波長を特定している。様々な昆虫に対する誘引薬として作用する他の波長が、図４において特定されており、この他の波長は、光スペクトルのＵＶ、青色および緑色領域内の波長を含んでいる。
【００１９】
[0019]ＣＮ２０１８４９３１は、小型夜間ランプとして使用され得る、４１０〜４１２ｎｍの防蚊光波長を有する１〜１０ＷのＬＥＤを教示している。
【００２０】
[0020]ＣＮ２０５１５５７２１は、５３０〜５９０ｎｍ以外の波長をフィルタリング除去するためのコーティングを有するＬＥＤ防蚊窓ランプを開示しており、この光は、光カーテンとして投影される。
【００２１】
[0021]ＣＮ２０５１５５６０６は、５４０〜５９０ｎｍの、１０００ルーメンの光を送出する１０Ｗ電力の２７００〜４０００Ｋの色温度を有するウォームランプ（ｗａｒｍ  ｌａｍｐ）を開示している。
【００２２】
[0022]ＣＮ１０２９３７２７１は、白色ＬＥＤビーズ、白色ＬＥＤチップ（蛍光粉末を噴霧された青色光チップを含む）ならびに黄色ＬＥＤランプビーズおよびチップを含む、１０００〜１５０００Ｋの色温度の防蚊ＬＥＤランプを開示している。
【００２３】
[0023]ＷＯ２０１６／０６８３６８は、有害な昆虫の接近を防止するための発光ユニットを開示しており、蛍光体を利用して５００〜５５０ｎｍの波長を集束させる。
【００２４】
[0024]特開２０１２−２４３７４４は、光を発する窒化インジウムガリウム型ＬＥＤチップを有するＬＥＤ光源が、４６０〜５４０ｎｍの波長範囲を低減し、結果、光強度が５８０〜７５０ｎｍの範囲内の光強度の半分未満になるように修正されている、ガラスホースのためのＬＥＤシステムを開示している。
【００２５】
[0025]ＣＮ２０２０４０６５は、防蚊キャンドルを開示している。
【先行技術文献】
【特許文献】
【００２６】
【特許文献１】ＷＯ２０１７／０８５６８２
【特許文献２】ＣＮ２０１８４９３１
【特許文献３】ＣＮ２０５１５５７２１
【特許文献４】ＣＮ２０５１５５６０６
【特許文献５】ＣＮ１０２９３７２７１
【特許文献６】ＷＯ２０１６／０６８３６８
【特許文献７】特開２０１２−２４３７４４
【特許文献８】ＣＮ２０２０４０６５
【発明の概要】
【発明が解決しようとする課題】
【００２７】
[0026]上記から、一般的な手法は一貫性がなく、一般的に、「誘引薬」の波長のフィルタリングを含み、コストおよび複雑性を増していることが明らかである。
【００２８】
[0027]対照的に、本出願人は、特に２つの種からの蚊を忌避するために、光強度、色温度および広域スペクトルの組み合わせを使用する。
【課題を解決するための手段】
【００２９】
[0028]本発明によれば、人間もしくは動物が存在する場所もしくは近傍（１０；２２）から蚊を忌避し、および／または、蚊が血餌を探すのを抑制するための方法であって、走光性忌避反応を生成するような、および／または、蚊が血を探すのを抑制するようなロケーション（１２；１６）および向きに照明（１８）を位置決めするステップを含み、このステップによって、照明（１８）が保護する、規定されているゾーン（２２）に蚊が入るのを止め、および／または、ゾーン（１０；２２）内で蚊が血餌を探す傾向が低減し、照明はＬＥＤ照明であり、色温度が５０００Ｋよりも大きい、少なくとも１００ルクスの強い光を生成し、約４５０ｎｍ〜４７０ｎｍにおける第１のピークと、約５００ｎｍ〜７００ｎｍにおける第２のピークとの、２つのピークを有するクールホワイトスペクトルを有する方法が提供される。
【００３０】
[0029]好ましくは、方法は、ヤブカ種、特にネッタイシマカまたはヒトスジシマカを標的とする。
【００３１】
[0030]より好ましくは、照明は、２００ルクスを超える強い光を放出する。最適な強度は、２７０ルクス〜３１０ルクスの領域内にあり、最適には約２９０ルクスであると考えられる。より好ましくは、照明は、５０００Ｋ〜１０，０００Ｋの範囲内の色温度を有する光を放出する。
【００３２】
[0031]本発明のさらなる態様によれば、飛翔昆虫、特に蚊を忌避するのに使用するための特注の強度、色温度およびスペクトルを提供するように適合されているＬＥＤまたはＬＥＤアレイが提供される。
【００３３】
[0032]ＬＥＤは、それに応じて調節可能であり得、ならびに／または、必要とされる目的のための特異性を促進するために所与の波長を除去もしくは増幅するためのフィルタおよび／もしくは増幅器をさらに備えることができる。ＬＥＤはまた、チップオンボード（ＣＯＢ）デバイスの形態をとってもよい。
【００３４】
[0033]本方法を実施するために、照明は、保護された照明ゾーンに入らないように蚊を忌避するように位置決めされ得る。例えば、ＬＥＤ光ストリップ（または他の構成）が、実質的にドアもしくは窓の開口部にわたって、実質的にテントもしくは天幕の開口部にわたって、または屋外着座領域の周りに光を伝達するように取り付けられていてもよい。そのような状況において、それらは、側方ならびに上方および／もしくは下方から光のカーテンを生成するように位置決めされ得る。
【００３５】
[0034]それらはまた、例えば、テーブル、ひさし、天幕、または、例えば建造物、壁、柱などの他の物品もしくは構造物の裏側または周縁に取り付けられてもよく、意図された目的のためにゾーンまたは領域の制御された照明を促進する。
【００３６】
[0035]さらなる実施形態において、１つまたは複数の携帯式ＬＥＤ含有ランタンが、本発明の方法において使用され得る。ランタンは、一方向、二方向または多方向に光を方向付けることができる。
【００３７】
[0036]人間以外の動物が保護対象である場合、照明は、特におおよそ夜明けおよび夕暮れ時にもしくは目標の蚊の最適な咬合時間に、家畜小屋、厩舎などのような、畜舎の周りに、または、牛のような動物が特定の目的で日常的に連れて行かれる場所の周りに位置決めされてもよい。照明は、効果的に忌避することを可能にするために、動物を完全に照射すべきである。
【００３８】
[0037]本発明の方法は、例えば、デング熱、デング出血熱、チクングンヤ熱、マヤロ熱、ウスツおよびジカ熱のような生物媒介疾患を制御するための、疾患予防の方法として使用され得る。
【００３９】
[0038]以下、添付の図面を参照して本発明の様々な態様を実証する実施例がさらに説明される。
【図面の簡単な説明】
【００４０】
【図１】着座領域内で忌避剤として使用されている照明の図である。
【図２】クールホワイトＬＥＤ（左）およびウォームホワイトＬＥＤ（右）の間の異なる波長プロファイルを示す図である。
【図３】５０００Ｋ以上の範囲内に入る本発明において使用されるＬＥＤの異なる色温度プロファイルを示す図である。
【図４】様々なＬＥＤ強度が様々な向きで試験された実験シリーズ１において使用された試験環境の図である（組み合わされたデータ結果が示されている）。
【図５】より制御された条件下で特定の強度（ルクス）が研究された実験シリーズ２において使用された装置の図である。
【図６Ａ】実験シリーズ１から生成されたデータをグラフで示す図であり、平均捕獲率を、光がない場合と、様々な強度の光の場合（１００％＝５２個のＬＥＤ（４８０ルクス）、７５％＝３９個のＬＥＤ、５０％＝２６個のＬＥＤ、３３％＝１７個のＬＥＤおよび１０％＝５個のＬＥＤ）との間で、比較している。
【図６Ｂ】実験シリーズ１から生成されるデータをグラフで示す図であり、２つの異なる蚊種、すなわち、左手側のヤブカ、中央のイエカ、および右手側の組み合わされたデータに関する、忌避母比率（負の走光性の反応）を比較している。
【図６Ｃ】実験シリーズ１から生成されるデータをグラフで示す図であり、２つの異なる蚊種、すなわち、左手側のヤブカ、中央のイエカ、および右手側の組み合わされたデータに関する、忌避着地率（血餌を摂ったのと同等の挙動）を比較している。
【図７Ａ】２１個のＬＥＤ（２２７ルクス）を用いた２時間の期間にわたる選択試験室におけるヤブカの移動を比較する、実験シリーズ２から生成されるデータをグラフで示す図である。
【図７Ｂ】２７個のＬＥＤ（２６７ルクス）を用いた２時間の期間にわたる選択試験室におけるヤブカの移動を比較する、実験シリーズ２から生成されるデータをグラフで示す図である。
【図７Ｃ】３０個のＬＥＤ（２９３ルクス）を用いた２時間の期間にわたる選択試験室におけるヤブカの移動を比較する、実験シリーズ２から生成されるデータをグラフで示す図である。
【図７Ｄ】３６個のＬＥＤ（３４７ルクス）を用いた２時間の期間にわたる選択試験室におけるヤブカの移動を比較する、実験シリーズ２から生成されるデータをグラフで示す図である。
【発明を実施するための形態】
【００４１】
[0039]偶然の観察に基づいて、本出願人は、昆虫を誘引するために所定の波長の光を使用する従来の手法とは対照的に、蚊が特定の条件下で光によって忌避され得るか否か、および／または、蚊が血餌を獲得する傾向が抑制され得るか否かを判定するための実験シリーズに着手した。
【００４２】
実験１
[0040]第１の実験シリーズにおいて、本出願人は、ＬＥＤの光強度が蚊の挙動に影響を与えるか否かを調べた。この目的のために、１００％出力として示されている５２個のＬＥＤ（４８０ルクス）のアレイ、ならびに、それぞれ、開始出力の７５％に出力が低減されているアレイ（３９個のＬＥＤ）、開始出力の５０％のアレイ（２６個のＬＥＤ）、開始出力の３３％のアレイ（１７個のＬＥＤ）および開始出力の１０％のアレイ（５個のＬＥＤ）を調べた。別個の対照は、ＬＥＤを使用しなかった。
【００４３】
[0041]（最適よりも明らかに低いが）依然として効果を示した５個のＬＥＤのアレイは約７５ルクスであった。また、別のフィールドトライアルでは、１０ルクス程度の低さにおける効果が有効であり得ることを示す。
【００４４】
[0042]目的は、忌避母比率ＲＰｒとして測定される、様々な強度の光が蚊を忌避したか否か、およびまた、忌避着地率ＲＬｒとして測定される、疑似餌（二酸化炭素）に近接して着地することが給血挙動と同等であるという行動測定に基づいて、光が咬合を抑制したか否かを判定することであった。
【００４５】
忌避母比率（ＲＰｒ）：
[0043]ＲＰｒは、試験室に放出された蚊の総数に基づく、蚊に対するＬＥＤの忌避効果の尺度である。これは、所定の母集団に対する忌避の尺度である。したがって、割合が高くなるほど、忌避効果が高くなる。このＲＰｒは以下の式によって表される。
【００４６】
（（放出された蚊の数−ＬＥＤによって捕獲された蚊の数）／放出された蚊の総数）×１００％
【００４７】
忌避着地率（ＲＬｒ）：
[0044]ＲＬｒは、選択試験環境内で蚊が着地した総回数に基づく、蚊に対するＬＥＤの忌避着地効果の尺度である。
【００４８】
[0045]蚊の着地は、蚊が血餌を摂ろうとする志向に関連付けられると仮定された。したがって、着地の総回数を記録することによって、可能性のある血餌の数が推定され得る。
【００４９】
[0046]したがって、この割合が高くなるほど、血餌の摂取の抑制は大きくなる。このＲＬｒは以下の式によって表される。
【００５０】
[0047]
（（捕獲された蚊の数−ＬＥＤによって捕獲された蚊の数）／捕獲された蚊の総数）×１００％
【００５１】
[0048]実験は、図４に示されているようなケージ（４０）（おおよそのサイズは５ｍ×５ｍ×４ｍ）内で実行されており、その中で、机（４２）には、側方の向きにおいて光を投影する照明源（４４）が取り付けられており、これには疑似餌（４６）（二酸化炭素放出）および捕獲手段（４８）である粘着盤が関連付けられている。上下の代替的な光投影も試験された。
【００５２】
[0049]一定数（２５０）のヤブカ種の蚊およびイエカ種の蚊がケージ（４０）に放出され、光（４４）の効果が一定時間（２時間）にわたって監視された。
【００５３】
[0050]様々な実験の結果を下記に示す。
【００５４】
実験１．１  累積結果
[0051]図６Ａは、累積結果を示す。捕獲数値から理解されるように、最高強度（５２個のＬＥＤ）が、７９％の忌避を与え、８９％の最高の効果が３９個のＬＥＤによって見られた。強度が低減すると、忌避は低減し、結果、１０％（５個のＬＥＤ）において忌避は３１％しかなかった。
【００５５】
[0052]ただし、７５％の出力（ＬＥＤを使用する場合と使用しない場合）の間のｔ検定で、０．００３のｐ値が得られ、効果は統計的に非常に有意であった。
【００５６】
実験１．２および実験１．３
[0053]図６Ｂおよび図６Ｃは、それぞれＲＰｒおよびＲＬｒに対する効果を示す。概して、より高強度のＬＥＤ構成のＲＰｒは９０％を超え、より高強度のＬＥＤ構成のＰＬｒは７５％を超えた。結果は、統計的に非常に有意であり、本手法の二重の利益を実証している。
【００５７】
実験２
[0054]実験１から得られた知識を使用して（上／下／側方の照明方向を含め、すべて有効）、本出願人は、５つの区画（左から右に）Ａ、Ｂ、Ｃ、ＤおよびＥを備える装置（５０）（図５）を構築した。区画Ａは、ワイヤメッシュ（５４）を有するエンドキャップ開口部（５２）を含み、メッシュ網によって室の残りの部分から分離される。これは、疑似餌（５６）（温血哺乳動物）が配置される室である。対向端にある区画Ｅは同等であるが、疑似餌の代わりに、換気扇およびそれと関連付けられる電池（５８）を有し、矢印によって示されるように、装置を通じて空気を引き込む。区画ＡおよびＥには、「選択室」として機能する区画ＢおよびＤが隣接している。区画Ｃは、区画ＢとＤとの間に位置付けられており、開口ゲート（６０）によって放出される前に蚊が導入される「放出室」としての役割を果たす。順応されると、蚊は室の間を自由に移動し、通常の事象過程（光なし）においては、疑似餌を含む室Ａに向かって飛ぶ。
【００５８】
[0055]本明細書において説明されているような照明が区画Ｂ内に配置され、異なる条件、例えば、ルクス単位で測定される強度、ケルビン単位で測定される色温度（図３参照）、ナノメートル単位で測定されるスペクトル（図２参照）、および、向き、例えばカーテン（上下および／または側方照射、接近する蚊に向かうまたは蚊から外方の方向）の下で操作されるとき、蚊の挙動が評価され、行われた実験および得られた選択的結果が、下記の図７Ａ〜図７Ｄに与えられる。
【００５９】
方法論
[0056]改良された走光ボックスが、宿主を探す、給血していないヤブカ種の蚊に対するＬＥＤの忌避性を評価するために使用された。
【００６０】
[0057]２５匹の雌のヤブカ種の蚊が区画Ｃ内に配置され、順応することを許容された。
【００６１】
[0058]ファン（５８）がＤＣファン位置に接続され、走光ボックスを通じて空気を引き込むために「排気」位置に設定された。
【００６２】
[0059]生きた状態の固定化された齧歯動物（５６）がＬＥＤボックスの外側に配置され、空気が齧歯動物を超えて引き込まれることを可能にし、蚊が利用することができる臭跡勾配を生成する血餌の臭跡で走光ボックスを満たした。
【００６３】
[0060]様々なＬＥＤストリップ／アレイ（４４）が、様々な強度（ルクス）で試験され、既知の数のＬＥＤが固定化された齧歯動物（５６）の可能な限り近くに配置され、ＬＥＤは蚊の飛行経路に対して様々な方向に向けられた。
【００６４】
[0061]ファン（５８）がオンにされ、Ｃ室内の蚊を捕らえるゲート（６０）が開かれて、宿主を探す蚊が固定化された齧歯動物によって生成される臭跡勾配を通じて風上に移動することが可能にされる。
【００６５】
[0062]各室内の蚊の数が、２時間にわたって時限間隔をおいてカウントされ、差について記録および分析される。
【００６６】
結果
[0063]図７Ａ〜図７Ｄを参照して示されている、得られた結果から、光強度が忌避に重要な役割を果たすこと、および、２２７ルクスを与える２１個のＬＥＤ（図７Ａ）が、十分に有効であると考えられる忌避レベルを与えないことが明らかであろう。
【００６７】
[0064]対照的に、２６７ルクスを与える２７個のＬＥＤ（図７Ｂ）では、時間とともに蚊が区画Ｄ（第３の灰色の柱）〜区画Ｂ（第１の青色の柱）を選好する明確な傾向が見え始め、すなわち、蚊は、疑似餌（５６）が存在するにもかかわらず、光（４４）から外方に移動する。
【００６８】
[0065]２９３ルクスの３０個のＬＥＤ（図７Ｃ）では、２時間の期間全体を通じて８０％を超える蚊が光（４４）から外方に移動する非常に強い忌避傾向が存在する。
【００６９】
[0066]この傾向は３６個のＬＥＤ（３４７ルクス）（図７Ｄ）でも強いままであるが、所定のポイントを超えてルクスを増大させてもさらなる改善はみられず、実際、約３００ルクスが最適に見える。
【００７０】
[0067]ルクスとともに、選択されるＬＥＤの種類も、忌避反応の促進に重要な役割を果たすように見える。事実、ウォームホワイト光（図２の右手側）とは対照的に、「クールホワイト」ＬＥＤ（図２の左手側）を選択することが重要である。「クールホワイト」光は、図２と図３の両方から明らかになるように、「ウォームホワイト」光のものとは非常に異なる特徴を有する。事実、約４５０ｎｍ〜４７０ｎｍの高振幅の第１のピーク、および、約５００ｎｍ〜７００ｎｍの低振幅のより広い第２のピークを有する、５０００Ｋよりも大きい色温度（図３）も、重要であると実証されている。
【００７１】
[0068]この知見は、例えば、図１によって示されている、蚊の管理における特注の照明ソリューションの適用を促進し、図１は、ゾーン（２２）を照射するために領域（１０）へと光（２０）を投影するように角度を付けられ、位置付けられている照明（１８）が上に取り付けられている小屋（１６）の下のテーブル（１２）および椅子（１４）を含む着座領域（１０）を示し、照射されたゾーンが、蚊を忌避する役割を果たす。
【００７２】
[0069]上記から、本発明の教示を使用して保護に適したものになる多くの他の実施例があることを、当業者であれば理解するであろう。
【図１】
2020527961.tif 000003
【図２】
2020527961.tif 000004
【図３】
2020527961.tif 000005
【図４】
2020527961.tif 000006
【図５】
2020527961.tif 000007
【図６Ａ】
2020527961.tif 000008
【図６Ｂ】
2020527961.tif 000009
【図６Ｃ】
2020527961.tif 000010
【図７Ａ】
2020527961.tif 000011
【図７Ｂ】
2020527961.tif 000012
【図７Ｃ】
2020527961.tif 000013
【図７Ｄ】
2020527961.tif 000014
【国際調査報告】
2020527961.tif 000015
2020527961.tif 000016
2020527961.tif 000017
2020527961.tif 000018